(57)【要約】【課題】  テレビ放送やラジオ放送の視聴中に、視聴中の放送の音声出力を停止して、当該番組情報に関するＷＥＢページをブラウズすることができる携帯電話機を提供する。【解決手段】    聴取中の放送の周波数情報２３ａと、無線基地局から取得した地域情報２３ｃとをＷＥＢサーバ５に送信して、聴取中の放送番組に関連するＷＥＢデータをＷＥＢサーバから取得するとともに、ＷＥＢブラウザを起動してＷＥＢページを表示する際、視聴中の音声出力を停止する。その後、ＷＥＢブラウザを終了させると、上記放送の音声出力を再開させる。【選択図】  図４
2005318163.tif 000002
【特許請求の範囲】
【請求項１】
放送波を受信して音声信号を再生する放送受信手段と、
ＷＥＢサーバから取得したＷＥＢデータに基づいて、画面表示を行うとともに音声信号を生成するＷＥＢブラウザと、
放送受信手段及びＷＥＢブラウザからの音声信号に基づいて、音声出力を行う音声出力手段と、
聴取中の放送番組に関連するＷＥＢデータをＷＥＢサーバから取得するとともに、上記ＷＥＢブラウザを起動し、番組関連情報からなるＷＥＢページを表示させる番組情報取得手段とを備え、
上記放送受信手段が、上記番組情報取得手段によるＷＥＢブラウザの起動に基づいて音声信号の出力を停止し、その後のＷＥＢブラウザの終了に基づいて、音声信号の出力を再開させることを特徴とする携帯通信端末。
【請求項２】
無線基地局から在圏エリアの地域情報を取得する地域情報取得手段を備え、
上記番組情報取得手段は、上記地域情報及び聴取中の周波数情報を上記ＷＥＢサーバに送信し、聴取中の放送番組に関連するＷＥＢデータを取得することを特徴とする請求項１に記載の携帯通信端末。
【請求項３】
上記放送受信手段は、上記番組情報取得手段によるＷＥＢブラウザの起動に基づいて、放送波の受信処理を停止し、その後のＷＥＢブラウザの終了に基づいて、同一周波数の放送波の受信処理を再開させることを特徴とする請求項１に記載の携帯通信端末。
【請求項４】
上記放送受信手段は、上記番組情報取得手段によるＷＥＢブラウザの起動後であって、ＷＥＢデータに基づいてＷＥＢブラウザが音声出力を開始する場合に、放送波の受信処理を停止することを特徴とする請求項１に記載の携帯通信端末。
【請求項５】
上記放送受信手段は、ＷＥＢブラウザによる音声出力が終了した場合に、音声信号の出力を再開させることを特徴とする請求項４に記載の携帯通信端末。
【発明の詳細な説明】
【技術分野】
【０００１】
本発明は、携帯通信端末に係り、さらに詳しくは、テレビ放送波やラジオ放送波を受信することができ、聴取中の番組情報に関するＷＥＢページをブラウズすることができる携帯電話機に関する。
【背景技術】
【０００２】
テレビ放送波を受信してテレビ番組を視聴し、あるいは、ラジオ放送波を受信してラジオ番組を聴取することができる携帯電話機が従来から知られている（例えば特許文献１）。一般に、テレビやラジオの放送波は、同じ放送局による放送波であっても受信する地域によって周波数が異なっている。このため、特許文献１の携帯電話機では、所望の放送局による放送波を受信するために、無線基地局から地域情報を取得し、この地域情報に基づいて同調させる周波数を決定している。
【０００３】
このため、放送局、周波数及び地域の関係を特許文献１の場合とは逆に利用すれば、携帯電話機により放送波を受信している場合、携帯電話機が存在する地域情報と受信中の周波数から受信中の放送局を特定することができる。さらに、受信時刻が特定されれば、受信中の放送番組を特定することもできる。
【０００４】
最近の携帯電話機は、インターネットに接続することができ、ＷＥＢブラウザを用いてＷＥＢページを閲覧することができる。従って、地域情報及び周波数情報に関連づけて放送番組に関する情報を提供するＷＥＢサーバがあれば、視聴中の放送番組に関する情報をインターネット経由で取得することができる。
【特許文献１】特開平８−１６２９０９号公報
【発明の開示】
【発明が解決しようとする課題】
【０００５】
テレビやラジオの番組を携帯電話機で視聴している場合、視聴中の周波数情報と携帯電話機の地域情報は既知であるため、視聴中の放送番組に関するＷＥＢページデータを取得し、ＷＥＢブラウザに表示させることができる。この場合、ユーザは、視聴中の放送番組を特定するための煩雑な操作入力を行わずに有益な情報を得ることができるので、利便性が高いと考えられる。
【０００６】
ところが、ＷＥＢページには音声出力をともなうものが少なくない。特に、テレビやラジオ番組に関するＷＥＢページには音声出力をともなうものが多い。このため、放送番組の視聴中に、ＷＥＢブラウザからも音声出力が行われると、両方の音声出力が入り交じり、いずれの音声も聞き取りにくくなってしまう。
【０００７】
本発明は、上記の事情に鑑みてなされたものであり、テレビ放送やラジオ放送の視聴中に、当該番組情報に関するＷＥＢページをブラウズすれば、視聴中の放送の音声出力を停止する携帯電話機を提供することを目的とする。また、ＷＥＢページのブラウズが終了した場合に、停止中の音声出力を再開する携帯電話機を提供することを目的とする。さらに、ＷＥＢブラウザが音声出力を行わない場合に聴取中の放送の音声出力を行うことができる携帯電話機を提供することを目的とする。
【課題を解決するための手段】
【０００８】
第１の本発明による携帯通信端末は、放送波を受信して音声信号を再生する放送受信手段と、ＷＥＢサーバから取得したＷＥＢデータに基づいて、画面表示を行うとともに音声信号を生成するＷＥＢブラウザと、放送受信手段及びＷＥＢブラウザからの音声信号に基づいて、音声出力を行う音声出力手段と、聴取中の放送番組に関連するＷＥＢデータをＷＥＢサーバから取得するとともに、上記ＷＥＢブラウザを起動し、番組関連情報からなるＷＥＢページを表示させる番組情報取得手段とを備え、上記放送受信手段が、上記番組情報取得手段によるＷＥＢブラウザの起動に基づいて音声信号の出力を停止し、その後のＷＥＢブラウザの終了に基づいて、音声信号の出力を再開させるように構成される。
【０００９】
このような構成により、テレビ放送やラジオ放送の聴取中に、聴取中の放送番組に関連するＷＥＢデータをＷＥＢサーバから取得し、ＷＥＢページとして表示させる場合に、聴取中の放送の音声出力を停止させることによって、ＷＥＢブラウザによる音声出力を聞き取りや易くすることができる。
【００１０】
第２の本発明による携帯通信端末は、無線基地局から在圏エリアの地域情報を取得する地域情報取得手段を備え、上記番組情報取得手段が、上記地域情報及び聴取中の周波数情報を上記ＷＥＢサーバに送信し、聴取中の放送番組に関連するＷＥＢデータを取得するように構成される。携帯通信端末が地域情報を取得し、聴取中の放送の周波数情報とともにＷＥＢサーバへ送信することにより、ＷＥＢサーバにおいて聴取中の放送局を特定し、視聴中の番組を特定することができる。
【００１１】
第３の本発明による携帯通信端末は、上記放送受信手段が、上記番組情報取得手段によるＷＥＢブラウザの起動に基づいて、放送波の受信処理を停止し、その後のＷＥＢブラウザの終了に基づいて、同一周波数の放送波の受信処理を再開させるように構成される。この様な構成により、視聴中の放送番組の関連情報をブラウズしている際、放送波の受信処理を停止させ、消費電力を低減させることができる。
【００１２】
第４の本発明による携帯通信端末は、上記放送受信手段が、上記番組情報取得手段によるＷＥＢブラウザの起動後であって、ＷＥＢデータに基づいてＷＥＢブラウザが音声出力を開始する場合に、放送波の受信処理を停止するように構成される。この様な構成により、ＷＥＢブラウザの起動後、音声出力を伴うＷＥＢページが表示されるまでの間、放送番組の音声出力を継続することができる。
【００１３】
第５の本発明による携帯通信端末は、上記放送受信手段が、ＷＥＢブラウザによる音声出力が終了した場合に、音声信号の出力を再開させるように構成される。この様な構成により、ＷＥＢブラウザの起動後であって、放送番組の音声出力の停止中に、音声出力を伴わないＷＥＢページが表示された場合には、放送番組の音声出力を再開させることができる。
【発明の効果】
【００１４】
本発明によれば、携帯電話機を用いてテレビ放送やラジオ放送の視聴中に、当該番組情報に関するＷＥＢページをブラウズすれば、視聴中の放送の音声出力を停止させるている。このため、放送による音声出力が混じり、ＷＥＢブラウザからの音声出力が聞き取りにくくなるのを防止することができる。
【００１５】
また、本発明によれば、ＷＥＢページのブラウズが終了した場合に、停止中の音声出力を再開させるている。このため、番組情報に関するＷＥＢページの閲覧終了後、直ちに放送音声の視聴を再開させることができる。
【００１６】
また、本発明によれば、携帯電話機を用いてテレビ放送やラジオ放送の視聴中に、当該番組情報に関するＷＥＢページをブラウズすれば、電力消費の比較的大きな放送波の受信処理を停止させている。従って、携帯電話機における消費電力を低減し、電池残容量の低下を抑制することができる。
【００１７】
また、本発明によれば、ＷＥＢブラウザからの音声出力に視聴中の放送の音声出力を停止させている。このため、ＷＥＢブラウザからの音声出力が聞き取りにくくなるのを防止しつつ、ＷＥＢブラウズ中も放送されている音声の聴取を行うことができる。
【００１８】
また、本発明によれば、ＷＥＢブラウザの起動後であって、放送番組の音声出力の停止中に、音声出力を伴わないＷＥＢページが表示された場合には、放送番組の音声出力を再開させる。このため、このため、音声出力を伴うＷＥＢページの閲覧終了後、直ちに放送音声の視聴を再開させることができる。
【発明を実施するための最良の形態】
【００１９】
実施の形態１．
図１は、本発明による携帯通信端末が適用されるシステムの一構成例を示した図である。携帯通信端末１は、セルラー通信システム３に収容される携帯電話機、ＰＨＳ、通信機能を有するＰＤＡなどの移動機である。
【００２０】
セルラー通信システム３は、無線通信エリア（セル）を形成する多数の無線基地局３０と、移動体通信ネットワーク３２に接続され、無線基地局３０の通信制御を行う無線制御局３１と、移動体通信ネットワーク３２をＩＰネットワーク４に接続するゲートウェイ装置３３により構成される。ＩＰネットワーク４は、多数のＷＥＢサーバ５が接続されたネットワーク、例えばインターネットである。
【００２１】
この携帯通信端末１は、自局が属する無線通信エリア（在圏セル）をカバーしている無線基地局３０との間で双方向の無線通信を行うことができる。この無線通信によって、通話のみならず、ＷＥＢサーバ５にアクセスすることもできる。すなわち、セルラー通信システム３及びＩＰネットワーク４を介して、ＷＥＢサーバ５へ要求を出せば、ＷＥＢサーバ５の提供するＷＥＢデータを取得することができる。この様にして取得したＷＥＢデータに基づいて、ＷＥＢブラウザによりＷＥＢページを表示することができる。
【００２２】
ＦＭ放送局２は、無線基地局３０の無線通信エリアよりも遙かに広いエリアに向けて、音声信号を含む放送波を送出している。一般に、無線基地局３０の無線通信エリアが半径数ｋｍ以下であるのに対し、ＦＭ放送局２は都道府県を単位として放送波を送信している。なお、本実施の形態ではＦＭ放送波の例について説明するが、音声信号を含む他の放送波、例えばテレビ放送波についても全く同様である。
【００２３】
携帯通信端末１は、無線基地局３０から在圏セルの地域情報を受信することができる。例えば、ＣＢＳ（Cell Broadcasting System）による文字データとして、在圏セルに関する詳細な住所情報を定期的に取得している。この地域情報を取得することによって、ＦＭ放送の周波数と放送局との対応関係を特定することが可能になる。
【００２４】
図中のＷＥＢサーバ５は、ＦＭ放送番組の関連情報からなるＷＥＢページを提供しているものとする。ＷＥＢサーバ５は、各ＦＭ放送局ごとに、その放送波を受信可能な周波数及び地域情報の組み合わせを示すデータテーブルを保持している。このため、クライアントから周波数情報及び地域情報を指定した要求があれば、ＦＭ放送局を特定し、当該放送局による放送番組に関連するＷＥＢページのデータを当該クライアントに送信することができる。
【００２５】
図２は、ＷＥＢサーバ５により提供されるＷＥＢページの一例を示した図である。携帯通信端末１から周波数情報及び地域情報を特定した要求があれば、ＷＥＢサーバ５は、まず、ＦＭ放送局を特定し、その番組に関する情報をコンテンツとするＷＥＢページデータを生成する。この様にして生成されたＷＥＢページは、他のＷＥＢページにリンクされており、クライアントは、このリンクを辿ることによって、当該番組に関連する様々なＷＥＢページのデータを取得することができる。なお、リンク先は同一のＷＥＢサーバであってもよいし、異なるＷＥＢサーバであってもよい。
【００２６】
図中の（ａ）が、ＷＥＢサーバ５によって最初に提供されるＷＥＢページであり、ここでは、特定されたＦＭ放送局の名称「ＴＯＫＫＹＯ−ＦＭ」と、当該放送局で直近に放送された複数の曲及びアーティスト名が含まれている。このＷＥＢページは、図中の（ｂ）に示した上記ＦＭ放送局のＷＥＢページや、図中の（ｃ）に示した上記曲の関連情報のＷＥＢページにリンクされている。これらのＷＥＢページは、さらに他のＷＥＢページ、例えば、図中の（ｄ）に示した着うた提供のＷＥＢページにリンクされている。
【００２７】
図３は、図１の携帯通信端末１の一構成例を示したブロック図である。主制御部１０は、携帯通信端末１の主要な制御を行っているマイクロプロセッサであり、メモリ２３に保持されているプログラム及びデータに基づいて動作している。無線通信部１１は、アンテナ１２を介して無線基地局３０との通信を行っている。ＦＭ受信部１３は、アンテナ１４を介して入力されるＦＭ放送波について受信処理を行っている。ＦＭ受信部１３における受信処理の対象となる周波数は、主制御部１０により指定される。
【００２８】
操作入力部１５は、ユーザが操作入力を行うための操作キーからなり、操作信号を主制御部１０へ出力する。表示制御部１６は、例えばＬＣＤ（Liquid Crystal Display）からなる表示部１７を制御し、主制御部１０によって生成された画像データを表示させている。音声出力制御部１８は、スピーカ１９及び通話用レシーバ２０の駆動制御を行っている。スピーカ１９からは、ＦＭ放送やＷＥＢページの音声が出力され、通話用レシーバ２０からは受話音が出力される。音声入力制御部２１は、通話用マイクロフォン２２からの送話音を主制御部１０へ出力している。
【００２９】
メモリ２３には、受信周波数２３ａ、受信停止フラグ２３ｂ及び地域情報２３ｃが格納されている。受信周波数２３ａは、ユーザにより選択されたＦＭ放送の周波数であり、主制御部１０によってＦＭ受信部１３へ出力されるとともに、メモリ２３へ格納される。受信停止フラグ２３ｂは、後述するＦＭ放送の受信停止時にセットされ、受信再開時にリセットされるフラグである。地域情報２３ｃは、無線通信部１１を介して無線基地局３０から受信した携帯通信端末１の地域情報である。
【００３０】
ユーザが、操作入力部１５においてＦＭ放送受信のためのキー操作を行うと、主制御部１０は、ＦＭ受信アプリケーションプログラムを起動する。このアプリケーションプログラムは、ＦＭ受信部１３に対し、受信周波数２３ａの放送波への同調を指示する。また、ＦＭ受信部１３から出力される音声信号を音声出力制御部１８を介してスピーカ１９から出力させる。
【００３１】
また、ユーザが、操作入力部１５においてＷＥＢブラウズのためのキー操作を行うと、主制御部１０は、ＷＥＢブラウザアプリケーションプログラムを起動させる。このアプリケーションプログラムは、無線通信部１１に対してＷＥＢデータの取得を要求する。要求されたＷＥＢデータが取得されると、当該ＷＥＢデータに基づいて、ＷＥＢページを表示部１７に表示させる。また、当該ＷＥＢページが音声出力を伴う場合には、スピーカ１９から音声を出力させる。
【００３２】
上記操作入力部１５には、受信中のＦＭ放送の関連情報を表示させるためのリンクボタン（不図示）が含まれている。ＦＭ放送の受信中に、ユーザが当該リンクボタンを操作すると、ＦＭ放送の音声出力が停止されるとともに、ＷＥＢブラウザが起動され、受信中の番組に関連する情報からなるＷＥＢページが表示される。その後、ユーザがＷＥＢブラウザを終了させると、ＦＭ受信アプリケーションプログラムが自動的に再起動され、停止前と同じ放送局によるＦＭ放送の受信が再開される。
【００３３】
図４のステップＳ１０１〜Ｓ１０７は、ＦＭ放送受信中における動作の一例を示したフローチャートである。ユーザがＦＭ放送の受信処理を終了させる操作入力を行った場合には、当該処理を終了する（ステップＳ１０１）。また、ユーザがリンクボタンを操作した場合には、ステップＳ１０３〜Ｓ１０７の処理が行われる（ステップＳ１０２）。
【００３４】
ＦＭ放送の聴取中にリンクボタンが操作されると、まず、主制御部１０は、ＦＭ受信部１３によるＦＭ放送の受信処理を停止させるとともに、メモリ２３内の受信停止フラグ２３ｂをセットする（ステップＳ１０３）。このため、聴取していたＦＭ放送の音声は、スピーカ１９から出力されなくなる。
【００３５】
次に、ＷＥＢブラウザが自動的に起動され、聴取中であった放送番組の関連情報からなるＷＥＢページが表示される（ステップＳ１０４）。すなわち、主制御部１０が、無線通信部１１を介して、メモリ２３内の受信周波数２３ａ及び地域情報２３ｃをＷＥＢサーバ５へ送信し、聴取中の放送番組に対応づけられたＷＥＢページのデータを取得する。なお、ＷＥＢサーバのＵＲＬ（Uniform Resource Locator）は予め与えられ、メモリ２３内に格納されているものとする。
【００３６】
その後、ユーザがＷＥＢブラウザを終了させるまでは、通常のＷＥＢブラウザを起動した場合と全く同じ処理が行われる（ステップＳ１０５，Ｓ１０６）。すなわち、ユーザがＷＥＢページを必要に応じてスクロールさせて閲覧し、リンクされた文字列を選択すれば、リンク先である他のＷＥＢページを表示させることができる。
【００３７】
ＦＭ放送番組の関連情報からなるＷＥＢページの場合、音声出力を伴うものが比較的多いと考えられる。特に、曲やそのアーティストのリンクは、その傾向が強いと考えられる。このため、ＦＭ放送の音声出力を停止させてＷＥＢページを閲覧させれば、ＷＥＢブラウザによる音声出力が聞き取り易くなる。
【００３８】
また、バッテリー駆動している携帯通信端末において放送波を受信させる場合、放送波受信による消費電力は、他の動作による消費電力に比べ大きくなる。このため、ＦＭ放送の受信処理を停止させてＷＥＢページを閲覧させれば、消費電力を抑制し、電池寿命を長くすることができる。
【００３９】
このＷＥＢブラウザをユーザが終了させると、主制御部１０は、停止していたＦＭ放送の受信を再開するとともに、メモリ２３内の受信停止フラグ２３ｂをリセットし、ステップＳ１０１へ戻る（ステップＳ１０７）。すなわち、主制御部１０が、ＦＭ放送アプリケーションを起動するとともに、受信周波数２３ａを読み出してＦＭ受信部１３へ出力し、受信開始を指示する。この様にして元のＦＭ放送の聴取が再開される。
【００４０】
なお、主制御部１０は、ＷＥＢブラウザの終了時に、メモリ２３内の受信停止フラグ２３ｂの状態を確認し、受信停止フラグ２３ｂがリセット状態であれば、ＦＭ放送アプリケーションの起動は行わない。つまり、ＦＭ放送受信を停止させることなくＷＥＢブラウザを起動した後、当該ブラウザを終了した場合に、誤ってＦＭ放送受信を開始してしまうのを防止している。
【００４１】
図５は、携帯通信端末１の主な動作状態に関する状態遷移図である。ＷＥＢブラウズ状態Ｓ５は、待受け状態からＷＥＢブラウザを起動させた通常のＷＥＢブラウズ状態である。このＷＥＢブラウズ状態Ｓ５において、ＷＥＢブラウザを終了させた場合、終了時に受信停止フラグ２３ｂがリセット状態になっているため、ＦＭ放送受信が開始されることはなく、待受け状態Ｓ１に戻る。
【００４２】
一方、ＷＥＢブラウズ状態Ｓ３は、リンクボタンにより聴取中のＦＭ放送を受信停止させてＷＥＢブラウザを起動させた状態である。このＷＥＢブラウズ状態Ｓ５において、主電源のオフ操作を行うと、受信停止フラグ２３ｂがリセットされ、主電源オフ状態Ｓ４に移行する。つまり、この受信停止フラグ２３ｂは、ＷＥＢブラウザの終了時だけでなく、ユーザが主電源をオフした場合（あるいは、その後にオンした場合）にもリセットされる。このため、主電源投入直後に、ユーザの意図に反して、ＦＭ放送受信が再開されることはない。
【００４３】
本実施の形態によれば、ＦＭ放送の聴取中に当該番組に関連情報のＷＥＢページを表示させるためにＷＥＢブラウザを起動すれば、ＦＭ放送受信を停止させ、また、ＷＥＢブラウザを終了させると、聴取中であったＦＭ放送の受信を再開させている。従って、ＷＥＢブラウザの使用中における消費電力を低減させることができる。また、音声出力を伴うＷＥＢページの場合、当該音声出力が聞き取り易くなる。
【００４４】
なお、本実施の形態では、ＦＭ放送の聴取中に番組関連情報のＷＥＢページを表示させれば、ＦＭ放送受信を停止させる場合について説明したが、ＷＥＢブラウザからの音声出力を聞き取り易くするには、ＦＭ放送による音声出力を停止させることができればよく、ＦＭ放送の受信動作自体は必ずしも停止させなくてもよい。さらに、ＦＭ放送による音声出力を停止させるのではなく、その音量を低下させてもよい。いずれの場合も、ＷＥＢブラウザの終了時に元の状態に戻される。
【００４５】
実施の形態２．
実施の形態１では、ＦＭ放送受信中にＷＥＢブラウザを起動させた際に、ＦＭ放送受信を停止させる場合の例について説明した。これに対し、本実施の形態では、音声出力を伴うＷＥＢページを表示させる際に、ＦＭ放送受信を停止させる場合について説明する。
【００４６】
図６のステップＳ２０１〜Ｓ２１０は、実施の形態２によるＦＭ放送受信中における動作の一例を示したフローチャートである。ユーザがＦＭ放送受信を終了させる操作入力を行った場合には、当該処理を終了する（ステップＳ２０１）。また、ユーザがリンクボタンを操作した場合には、ステップＳ２０３〜Ｓ２０９の処理が行われる（ステップＳ２０２）。
【００４７】
ＦＭ放送の受信中にリンクボタンが操作されると、主制御部１０は、ＦＭ放送の受信を停止させることなく、ＷＥＢブラウザを起動する（ステップＳ２０３）。次に、受信中の放送番組の関連情報からなるＷＥＢデータが取得される（ステップＳ２０４）。
【００４８】
主制御部１０は、取得されたＷＥＢデータに基づいて、ＷＥＢページを表示するとともに、当該ＷＥＢデータに音声データが含まれているか否かを判別する（ステップＳ２０５）。例えば、音声ファイルや音声付きの動画ファイルなどが含まれ、音声出力を伴うＷＥＢデータの場合、主制御部１０は、ＦＭ放送受信を停止し、メモリ２３内の受信停止フラグ２３ｂをセットする（ステップＳ２０６）。一方、音声出力を伴わないＷＥＢデータの場合には、（停止中であれば）ＦＭ放送受信を再開し、メモリ２３内の受信停止フラグ２３ｂをリセットする（ステップＳ２０７）。つまり、ＷＥＢブラウザが音声出力を行う場合のみ、ＦＭ放送の音声出力を停止させ、それ以外の場合には、ＦＭ放送の音声出力が継続され、あるいは、再開される。
【００４９】
ユーザが、ＷＥＢブラウザをユーザが終了させれば、主制御部１０は、ＦＭ放送受信を再開するとともに、メモリ２３内の受信停止フラグ２３ｂをリセットし、ステップＳ２０１へ戻る（ステップＳ２０８，Ｓ２１０）。一方、ＷＥＢブラウザを終了させずに、リンクを選択してページ移動を行った場合には、ステップＳ２０４に戻り、ＷＥＢデータの取得が行われる（ステップＳ２０９）。
【００５０】
このようにして動作させれば、ＷＥＢブラウザの起動後、音声出力を伴うＷＥＢページが表示されるまでの間も、ＦＭ放送の受信を継続することができる。また、ＷＥＢブラウザの起動後、一旦、ＦＭ放送の受信を停止した場合であっても、音声出力を伴わないＷＥＢページが表示された場合には、再開することができる。
【００５１】
図７のステップＳ３０１〜Ｓ３０９は、実施の形態２によるＦＭ放送受信中における動作の他の例を示したフローチャートである。ステップＳ３０１〜Ｓ３０９は、図６のステップＳ２０１〜Ｓ２０６及びＳ２０８〜Ｓ２１０に相当し、ステップＳ２０７に相当するステップを有していない。つまり、音声出力を伴うＷＥＢデータを取得するまでは、ＦＭ放送受信を継続する一方、音声出力を伴うＷＥＢデータを取得すれば、その後は、ＷＥＢブラウザの終了により再開するまでは、ＦＭ放送受信を停止する。
【００５２】
なお、ＷＥＢサーバ５を利用して、携帯通信端末１に対し、当該端末が受信可能な周波数セットを提供させることもできる。例えば、ＷＥＢサーバ５に、各地域において受信可能な周波数セットを示すデータテーブルを保持させ、クライアントからの地域情報を含む要求があれば、当該地域の周波数セットを提供させる。このようにすれば、携帯通信端末１が、無線通信エリア間を移動するたびに無線基地局３０から地域情報を取得し、この地域情報を含む要求をＷＥＢサーバ５へ出せば、最新の周波数セットを常に保持しておくことができる。つまり、携帯通信端末１の移動に伴って、周波数セットが自動更新され、ユーザが意識しなくても、常に良好に受信可能な周波数セットを携帯通信端末１にプリセットしておくことができる。
【図面の簡単な説明】
【００５３】
【図１】本発明による携帯通信端末が適用されるシステムの一構成例を示した図である。
【図２】ＷＥＢサーバ５により提供されるＷＥＢページの一例を示した図である。
【図３】図１の携帯通信端末１の一構成例を示したブロック図である。
【図４】ＦＭ放送受信中における動作の一例を示したフローチャートである。
【図５】携帯通信端末１の主な動作状態に関する状態遷移図である。
【図６】実施の形態２によるＦＭ放送受信中における動作の一例を示したフローチャートである。
【図７】実施の形態２によるＦＭ放送受信中における動作の他の例を示したフローチャートである。
【符号の説明】
【００５４】
１  携帯通信端末
２  ＦＭ放送局
３  セルラー通信システム
４  ＩＰネットワーク
５  ＷＥＢサーバ
１０  主制御部
１１  無線通信部
１３  ＦＭ受信部
１５  操作入力部
１６  表示制御部
１７  表示部
１８  音声出力制御部
１９  スピーカ
２３  メモリ
２３ａ  受信周波数
２３ｂ  受信停止フラグ
２３ｃ  地域情報
【図１】
2005318163.tif 000003
【図２】
2005318163.tif 000004
【図３】
2005318163.tif 000005
【図４】
2005318163.tif 000006
【図５】
2005318163.tif 000007
【図６】
2005318163.tif 000008
【図７】
2005318163.tif 000009